(57)【要約】      （修正有）【課題】ジブセットを地上に保管した状態で、ジブとジブ連結台間に介設している角度変更シリンダを支障なく伸縮させ得るようにするためのジブ保管時の置き台を提供する。【解決手段】ジブと、ジブ連結台３と、ジブとジブ連結台３間の角度変更シリンダ４と、ジブ先端寄り下部の転動輪つきの支持材と、ジブ連結台３の下部に取付けた係合ピン３３とを有したジブセットの上記ジブ連結台３を載せ置くための置き台であって、該置き台５の台本体５１に、ジブ連結台３側の係合ピン３３を回転可能状態で且つ係脱自在に係合させ得る上向き開口のピン受溝５２を設けているとともに、該置き台５は、ジブ連結台３を載せ台５上に載せ置きした状態で、角度変更シリンダ４が全縮小状態から全伸長状態までの全範囲で伸縮可能であり且つ角度変更シリンダ４の伸縮動作によりジブとジブ連結台３との角度を変更させ得る機能を有している。【選択図】図１
2017043447.tif 000002
【特許請求の範囲】
【請求項１】
ブーム先端部に継ぎ足されるジブと、該ジブをブーム先端部に着脱自在に連結するジブ連結台と、該ジブ連結台と上記ジブとを相対的に上下揺動させ得るように枢支した枢支軸と、上記ジブと上記ジブ連結台間に介設されていて該ジブと該ジブ連結台間の角度を変更させ得る角度変更シリンダと、上記ジブの先端寄り下部に取付けられていて地面に接地して転動する転動輪と、上記ジブ連結台の下部に該ジブ連結台の揺動面に対して水平直交方向に向く姿勢で且つ該ジブ連結台の下面より下方に突出する状態で取付けた係合ピンとを有したジブセットを上記ブーム先端部から分離して地上に保管する際に上記ジブ連結台を載せ置くためのジブ保管時の置き台であって、
上記置き台の台本体に、上記ジブ連結台側の上記係合ピンを回転可能状態で且つ係脱自在に係合させ得る上向き開口のピン受溝を設けているとともに、
上記ジブ連結台側の係合ピンを上記台本体側のピン受溝に係合させて上記ジブ連結台を載せ台上に載せ置きした状態において、上記角度変更シリンダが全縮小状態から全伸長状態までの全範囲で伸縮可能であり且つ該角度変更シリンダの伸縮動作により上記ジブと上記ジブ連結台との角度を変更させ得る機能を有している、
ことを特徴とするジブ保管時の置き台。
【請求項２】
請求項１において、
上記台本体に地面に接地して転動する転動輪を設け、該台本体の転動輪と上記ジブ先端寄りの転動輪とをそれぞれ接地させた状態で上記ジブセットを地上で押し引き移動させ得るようにしている、
ことを特徴とするジブ保管時の置き台。
【発明の詳細な説明】
【技術分野】
【０００１】
本願発明は、伸縮ブームの先端部に着脱自在に継ぎ足されるジブをジブ連結台とともにブーム先端部から分離して地上に保管する際に上記ジブ連結台部分を載せ置くためのジブ保管時の置き台に関するものである。
【背景技術】
【０００２】
移動式クレーンの中には、伸縮ブームの先端部にジブを継ぎ足して使用するものがあり、さらにジブ不使用時にはジブとジブ連結台と角度変更シリンダ（一般にジブチルトシリンダと称されている油圧シリンダ）とを一体に連結した状態のジブセットを伸縮ブームの先端部から分離して地上に保管するようにしたものがある。
【０００３】
ところで、本件出願人は、ジブ不使用時には図７（Ａ）に示すように上記ジブセットＺを伸縮ブームの先端部から分離して地上Ｇに保管しておき、該ジブセットＺを使用するときには図７（Ｂ）〜（Ｄ）に示す各工程を経て該ジブセットＺを伸縮ブーム１の先端部１０に装着するようにした移動式クレーンを、特開２００９−２９８４８８号公報（特許文献１）で提案している。尚、以下の説明では、伸縮ブーム１の先端部１０を単にブーム先端部１０ということがある。
【０００４】
図７（Ａ）〜（Ｄ）に示す公知（特許文献１）の移動式クレーンでは、上記ジブセットＺとして、所定長さのジブ２と、該ジブ２の基端部２０に枢支軸３０で枢支されたジブ連結台３と、ジブ２とジブ連結台３間に介設されている角度変更シリンダ（ジブチルトシリンダ）４とを有し、それらを一体に連結した状態で取り扱えるようにしたものを採用している。
【０００５】
そして、図７（Ａ）〜（Ｄ）のジブセットＺは、ジブ２とジブ連結台３と角度変更シリンダ４とを一体に組付けた状態で、図７（Ａ）に示すように地上に保管したり、図７（Ｂ）〜（Ｃ）の各工程を経て図７（Ｄ）に示すように移動式クレーンのブーム先端部１０に装着させ得るものであるが、該ジブセットＺを地上保管位置からブーム先端部１０に装着させるには次のようにして行われる。
【０００６】
まず、図７（Ａ）の地上保管位置にあるジブセットＺをクレーンで吊上げて、図７（Ｂ）に示すようにジブセットＺのジブ連結台３部分を移動式クレーンのブーム先端部１０の前面近傍直下まで移動させ、移動式クレーン側の吊上げワイヤー１３の先端部をジブ連結台３に連結しておく。尚、図７（Ｂ）の状態で、移動式クレーンの車両に搭載されている油圧ユニットからの油圧ホースを角度変更シリンダ４に接続する。
【０００７】
次に、図７（Ｂ）の状態から吊上げワイヤー１３を巻上げることにより図７（Ｃ）に示すようにジブセットＺのジブ連結台３部分を引き上げて、該ジブ連結台３側の下部連結部３１（左右に一対ある）をブーム先端部１０側の下部連結部１１（左右に一対ある）に合致させ、該両連結部３１，１１をピン結合する。尚、以下の説明では、ジブ連結台３側の下部連結部３１をジブ側下部連結部３１といい、ブーム先端部１０側の下部連結部１１をブーム側下部連結部１１ということがある。
【０００８】
続いて、図７（Ｃ）の状態から角度変更シリンダ４を所定長さ縮小させて、図７（Ｄ）に示すようにジブ連結台３側の上部連結部３２（左右に一対ある）をブーム先端部１０側の上部連結部１２（左右に一対ある）に合致させ、該両連結部３２，１２をピン結合することで、ジブセットＺをブーム先端部１０に装着できる。尚、以下の説明では、ジブ連結台３側の上部連結部３２をジブ側上部連結部３１といい、ブーム先端部１０側の上部連結部１２をブーム側上部連結部１２ということがある。
【０００９】
ところで、上記した図７（Ａ）〜（Ｄ）のジブセット装着工程では、図７（Ｃ）のようにジブ側下部連結部３１をブーム側下部連結部１１に合致（ピン結合）させた後、図７（Ｄ）のようにジブ側上部連結部３２をブーム側上部連結部１２に合致（ピン結合）させるが、図７（Ｃ）のように先にジブ側下部連結部３１をブーム側下部連結部１１に合致させるためには、予め角度変更シリンダ４を伸長（ほぼ全伸長）させてジブ２とジブ連結台３間の角度を大きく（ジブチルト角がほぼ０°）しておく必要がある。つまり、図７（Ａ）又は図７（Ｂ）に示すように、ジブセットＺのジブ連結台３の下面３ａが直接地面Ｇに接地している状態で角度変更シリンダ４を伸縮させると、ジブ連結台３に傾動力が働いて該ジブ連結台３の下面３ａが地面Ｇに対して摺動しようとするので好ましくない。尚、ジブ連結台３の下面３ａが地面Ｇに摺動すると、該ジブ連結台３の下面３ａが傷ついたり地面Ｇが掘れたりするという問題が生じる。
【００１０】
そこで、ジブセットＺを地上に保管するようにした特許文献１の移動式クレーンでは、該ジブセットＺを地上に保管する際には、図７（Ａ）に示すように角度変更シリンダ４を予め全伸長させた状態でジブセットＺを地上に置いている。そして、このように角度変更シリンダ４が全伸長状態では、該角度変更シリンダ４のロッド４２が長い範囲に亘ってチューブ４１から外部に露出したままとなるが、このロッド４２の外面には塗装等の防錆処理を施すことができない。尚、角度変更シリンダ４が全縮小すると、ロッド４２の全長がチューブ４１内に没入するので、該ロッド４２が外部に露出しない。
【先行技術文献】
【特許文献】
【００１１】
【特許文献１】特開２００９−２９８４８８号公報
【発明の概要】
【発明が解決しようとする課題】
【００１２】
ところで、図７（Ａ）に示すように、ジブセットＺを地上に保管した状態で角度変更シリンダ４が全伸長していると、該角度変更シリンダ４のロッド４２が長い範囲に亘ってチューブ４１外に露出したままとなる。そして、角度変更シリンダ４のロッド４２が長期間露出していると、雨水の付着等によってロッド４２外面に錆びが発生することがあるという問題がある。
【００１３】
尚、図７（Ａ）のジブセット地上保管状態において、角度変更シリンダ４を全縮小させておくことも考えられるが、その場合は、ジブ２とジブ連結台３との角度が小さくなるので、図７（Ｃ）に示すジブ連結台引き上げ状態でジブ側下部連結部３１をブーム側下部連結部１１にうまく合致出来ない事態が生じ、ジブセットＺのブーム先端部１０への装着作業が難しくなる。
【００１４】
そこで、本願発明は、ジブセットを地上に保管した状態で、ジブとジブ連結台間に介設している角度変更シリンダを全縮小状態から全伸長状態までの全範囲で支障なく伸縮させ得るようにするためのジブ保管時の置き台を提供することを目的としている。
【課題を解決するための手段】
【００１５】
本願発明は、上記課題を解決するための手段として次の構成を有している。尚、本願発明は、後述するジブセットを地上に保管する際に該ジブセットのジブ連結台部分を載せ置くためのジブ保管時の置き台を対象にしたものである。又、以下の説明では、本願発明の名称である「ジブ保管時の置き台」を単に「置き台」ということがある。
【００１６】
［本願請求項１の発明］
本願請求項１の発明の置き台を適用するジブセットは、ブーム先端部に継ぎ足されるジブと、該ジブをブーム先端部に着脱自在に連結するジブ連結台と、ジブ連結台とジブとを相対的に上下揺動させ得るように枢支した枢支軸と、ジブとジブ連結台間に介設されていてジブとジブ連結台間の角度を変更させ得る角度変更シリンダと、ジブの先端寄り下部に取付けられていて地面に接地して転動する転動輪と、ジブ連結台の下部にジブ連結台の揺動面に対して水平直交方向に向く姿勢で且つジブ連結台の下面より下方に突出する状態で取付けた係合ピンとを有したものである。
【００１７】
尚、本願の上記ブーム先端部は、伸縮ブームの先端部のことであり、以下の説明でも伸縮ブームの先端部をブーム先端部という。
【００１８】
ジブの先端寄り下部に設けた転動輪は、ジブセット着脱式の移動式クレーンでは既存のものであって、ジブセットをブーム先端部に装着する過程でジブ先端部が地面に直接摺動しないようにするためのものである。
【００１９】
ジブ連結台の下部に取付けた係合ピンは、以下に説明する置き台のピン受溝に係合するものであって、ジブセットの一部として構成したものである。
【００２０】
そして、本願請求項１の置き台は、台本体にジブ連結台側の係合ピンを回転可能状態で且つ係脱自在に係合させ得る上向き開口のピン受溝を設けているとともに、ジブ連結台側の係合ピンを台本体側のピン受溝に係合させてジブ連結台を載せ台上に載せ置きした状態において、角度変更シリンダが全縮小状態から全伸長状態までの全範囲で伸縮可能であり且つ角度変更シリンダの伸縮動作によりジブとジブ連結台との角度を変更させ得る機能を有していることを特徴とするものである。
【００２１】
本願請求項１の置き台は、地上に置いた状態では地面との摩擦力で移動しないようになっている。
【００２２】
この請求項１の置き台には、ジブ連結台側の係合ピンを係合させるためのピン受溝が上向きに開口しているので、置き台上にジブセットのジブ連結台を載せ置きする際には、ジブセットをクレーンで吊り降ろして、ジブ連結台側の係合ピンを地上に置いている置き台のピン受溝に上方から落とし込むことで行える。
【００２３】
他方、置き台上にジブ連結台を載せ置いた状態では、ジブ連結台側の係合ピンが置き台側のピン受溝に対して回転自在となっていて、角度変更シリンダを伸長又は縮小させることで、上記係合ピンを中心にしてジブ連結台が置き台上で前後に揺動可能となっている。
【００２４】
そして、この請求項１の置き台を使用したものでは、ジブセットの地上保管状態で角度変更シリンダを伸長又は縮小させると、ジブとジブ連結台との枢支軸を中心にしてジブ連結台の下部側をジブに対して後方又は前方に傾動させるような作用が働くが、そのときジブ連結台の下部（係合ピン）は不動位置にある置き台（ピン受溝）に係合しているので、ジブ連結台に作用する前後傾動力はジブ側に働いて該ジブを前方又は後方に移動させることでジブ連結台の前方又は後方への傾動を許容するようになっている。このとき、ジブ連結台の下部の係合ピンは置き台側のピン受溝に対して回転自在であるので、該係合ピンを中心とするジブ連結台の前後傾動動作は自由に行われる。
【００２５】
このように、本願請求項１の置き台を使用したジブセットの地上保管状態では、角度変更シリンダが全縮小状態から全伸長状態までの全範囲で伸縮可能となっている（角度変更シリンダの伸縮量によってジブとジブ連結台との角度が変化する）ので、ジブセットを地上に保管する時には角度変更シリンダを全縮小させておくことで、該角度変更シリンダのロッドの全長をチューブ内に収納させておくことができる。
【００２６】
尚、地上に保管していたジブセット（角度変更シリンダを全縮小させている）をブーム先端部に装着するときには、該ジブセットのジブ連結台部分をブーム先端部の近傍直下に位置させて、車両に搭載している油圧ユニットからの油圧ホースを角度変更シリンダに接続させた後、該角度変更シリンダを油圧ユニットからの油圧で伸長させることで、ジブ連結台をブーム先端部に装着可能な姿勢（ジブとジブ連結台間の角度を大きくした姿勢）にすることができる。
【００２７】
［本願請求項２の発明］
本願請求項２の発明は、上記請求項１の置き台において、台本体に地面に接地して転動する転動輪を設け、台本体の転動輪とジブ先端寄りの転動輪（請求項１）とをそれぞれ接地させた状態でジブセットを地上で押し引き移動させ得るようにしていることを特徴としている。
【００２８】
この請求項２の置き台では、ジブセットを地上に保管した状態でジブセットの前後にある転動輪がそれぞれ地面に接地しているので、該ジブセットを地上保管位置から移動式クレーンのブーム先端部に装着し得る位置まで（又はその逆方向に）人力で押し引き移動させることができる。
【発明の効果】
【００２９】
［本願請求項１の発明の効果］
本願請求項１の発明の置き台は、上記したように台本体に設けたピン受溝にジブ連結台の下部に設けた係合ピンを係合させることでジブセット地上保管状態でのジブ連結台を載せ置くことができるとともに、ジブ連結台を置き台上に載せ置いた状態で、角度変更シリンダが全縮小状態から全伸長状態までの全範囲で伸縮可能であり且つ角度変更シリンダの伸縮動作によりジブとジブ連結台との角度を変更させ得る機能を有したものである。
【００３０】
従って、この請求項１の置き台を使用すると、ジブセットのジブ連結台を置き台上に載せ置いた状態で、角度変更シリンダを伸縮作動させる（且つそれによってジブとジブ連結台との角度を変更させる）ことができるので、ジブセットを地上に保管する際には角度変更シリンダを全縮小させておく（角度変更シリンダのロッドがチューブ外に露出しない）ことにより、ロッドに錆びが発生するのを防止できるという効果があり、それに加えて、ジブセットをブーム先端部に装着する際には、ジブセット地上設置状態で角度変更シリンダを全伸長させることで、ジブとジブ連結台との角度をジブセット装着可能な角度まで広げることができるという効果もある。
【００３１】
さらに、この請求項１の置き台では、ジブ連結台側の係合ピンを係合させるピン受溝を上向き開口状態で設けているので、ジブ連結台の下部に下方突出状態で取付けた係合ピンを該ピン受溝の上方から係脱させることができ、該ピン受溝に対する係合ピンの係脱が容易となるという効果がある。
【００３２】
［本願請求項２の発明の効果］
本願請求項２の発明は、上記請求項１の置き台において、台本体に地面に接地して転動する転動輪を設け、該台本体の転動輪とジブ先端寄りの転動輪（請求項１）とをそれぞれ接地させた状態でジブセットを地上で押し引き移動させ得るようにしている。
【００３３】
従って、この請求項２の置き台では、上記請求項１の効果に加えて、ジブセットを地上保管位置から移動式クレーンのブーム先端部に装着し得る位置まで（又はその逆方向に）人力で押し引き移動させることができるので、クレーンによるジブセット吊上げ移動作業が不要となるという効果がある。
【図面の簡単な説明】
【００３４】
【図１】本願第１実施例の置き台とジブセットのジブ連結台とを分離状態で表した斜視図である。
【図２】図１の置き台を使用したジブセットの地上保管状態での側面図である。
【図３】図２のジブセット地上保管状態からジブセットをブーム先端部に装着する際の初期操作説明図である。
【図４】図３の状態からジブセットをブーム先端部に装着する際の説明図である。
【図５】本願第２実施例の置き台とジブセットのジブ連結台とを分離状態で表した斜視図（図１相当図）である。
【図６】図５の置き台を使用してジブセットをブーム先端部に装着する際の初期操作説明図（図３相当図）である。
【図７】公知のジブセット装着工程の説明図である。
【発明を実施するための形態】
【００３５】
以下、図１〜図６を参照して本願実施例のジブ保管時の置き台を説明すると、図１〜図４には第１実施例の置き台５及びその使用形態を示し、図５〜図６には第２実施例の置き台５Ａ及びその使用形態を示している。
【００３６】
そして、本願の各実施例の置き台５（又は５Ａ）は、図２〜図４（又は図６）に示すように後述するジブセットＺを地上Ｇに保管する際に、該ジブセットＺのジブ連結台３部分を載せ置くために使用されるものであるが、ここで本願各実施例の置き台５（又は５Ａ）を使用するのに当たって関連するジブセットＺ側の構成を説明しておく。
【００３７】
本願の各実施例で使用されるジブセットＺは、図２〜図４（又は図６）に示すように、所定長さを有したジブ２と、該ジブ２の基端部２０に枢支軸３０で枢支されたジブ連結台３と、ジブ２とジブ連結台３間に介設された角度変更シリンダ４とを一体に連結したものである。
【００３８】
このジブセットＺに用いられている角度変更シリンダ４は、一般にジブチルトシリンダと称されている油圧シリンダであって、該角度変更シリンダ４を伸縮させることでジブ２とジブ連結台３とを枢支軸３０を中心にして相対的に上下揺動させ得るものである。尚、ジブ連結台３は、ジブ２を上下に揺動させ得るものであるが、各図（図１〜図６）においてはジブ２に対して前後方向に揺動する。
【００３９】
ジブ連結台３の下面３ａ（図１及び図５）には、後述する置き台５（又は５Ａ）のピン受溝５２に係合する係合ピン３３が設けられている。この係合ピン３３は、図１（及び図５）に示すように、ジブ連結台３の揺動面（図１及び図５では前後方向に揺動する）に対して水平直交方向に向く姿勢で且つジブ連結台３の下面３ａから下向きに所定長さ（例えば１０cm程度の長さ）を有した左右一対の支持片３４，３４の下端部間に左右水平向き姿勢で取付けたものである。尚、この係合ピン３３の機能については後述する。
【００４０】
図４に示すように、ジブセットＺを地上設置状態からブーム先端部１０に装着する過程では、ジブセットＺが鎖線図示する（符号Ｚ′）ように傾動することによりジブ２の先端部２１を地上Ｇで引き摺る関係で、該ジブ２の先端寄り下部には地面Ｇに接地して転動する転動輪２３付きの支持材２２を設けている。
【００４１】
そして、本願の各実施例で使用される移動式クレーンでも、伸縮ブーム１（図３、図４、図６参照）の先端部１０にジブセットＺを装着してジブ付きで作業が行えるが、ブーム先端部１０へのジブセットＺの装着作業は、図７の従来例とほぼ同様に行われる。
【００４２】
即ち、図４に示すように、角度変更シリンダ４を全伸長させてジブ２とジブ連結台３との角度を大きくした状態（ジブチルト角がほぼ０°）で、クレーン側の吊上げワイヤー１３の先端部１３ａをジブ連結台３に連結し、該吊上げワイヤー１３を巻上げることによりジブセットＺの基部側を引き上げる（ジブセットが符号Ｚ′の姿勢となる）。このときジブ先端寄り下部の転動輪２３が地面Ｇ上を転動して符号２３′の位置まで移動する。そして、ジブ連結台３′側の下部連結部３１′をブーム先端部１０側の下部連結部１１に合致させて該両連結部３１′，１１をピン結合し、続いて角度変更シリンダ４′を所定長さ縮小させることでジブ連結台３′側の上部連結部３２′をブーム先端部１０側の上部連結部１２に合致させて該両連結部３２′，１２をピン接合することで、ジブセットＺのブーム先端部１０への装着作業は完了する。
【００４３】
ところで、ジブセットＺを地上Ｇに保管した状態では、図２（又は図６の実線図示状態）に示すように角度変更シリンダ４を全縮小させる（ロッド４２が外部に露出しない）ことが好ましく、他方、ジブセットＺをブーム先端部１０に装着する際には、図４（又は図６の鎖線図示状態）に示すように角度変更シリンダ４を全伸長させる（ジブ２とジブ連結台３との角度を大きくする）ことが求められる。
【００４４】
そこで、本願各実施例では、置き台５（又は５Ａ）を使用することにより、ジブセットＺを地上Ｇに保管（設置）した状態で、角度変更シリンダ４を全縮小状態から全伸長状態までの全範囲で伸縮可能とし且つ該角度変更シリンダ４の伸縮動作によりジブ２とジブ連結台３との角度を変更させ得るようにしている。以下、図１〜図４の第１実施例の置き台５及び図５〜図６の第２実施例の置き台５Ａについて個別に説明する。
【００４５】
［図１〜図４の第１実施例］
図１〜図４の第１実施例の置き台５は、本願請求項１に対応するものである。
【００４６】
そして、この第１実施例の置き台５は、図１に示すように、所定面積を有した矩形の平板部材５１ａの上面に山形突出部材５１ｂを一体に固着させてなる台本体５１を基本構成としたものである。
【００４７】
台本体５１（平板部材５１ａ）の平面視の大きさは、特に限定するものではないが、例えば前後長さが５０〜６０cm程度、左右幅が３０〜４０cm程度のものを採用できる。
【００４８】
台本体５１の山形突出部５１ｂの中央部（頂部）には、上向きに開口するピン受溝５２が形成されている。このピン受溝５２は、前後に間隔をもった２つの立上げ片５３，５３の間に設けられたものであり、該ピン受溝５２内に上記したジブ連結台３側の係合ピン３３を上方から係脱自在（抜き差し自在）に係合させ得るようになっている。
【００４９】
又、上記２つの立上げ片５３，５３の上部寄り位置には、それぞれピン挿通穴５４，５４が形成されていて、ピン受溝５２内に上記係合ピン３３を係合させた状態で各ピン挿通穴５４，５４に抜け止めピン６を差込むことによって、該係合ピン３３をピン受溝５２内に位置保持し得る（抜け出し不能となる）ようになっている。
【００５０】
そして、この第１実施例の置き台５は、次のように使用される。
【００５１】
まず、ジブ不使用時には、ジブセットＺを図２に示すように地上Ｇに保管するが、そのときにはジブセットＺの角度変更シリンダ４を全縮小させておくとともに、ジブセットＺのジブ連結台３の下方に置き台５を配置して該ジブ連結台３を置き台５上に載せる。このとき、ジブ連結台３側の係合ピン３３を置き台５側のピン受溝５２に係合させた後、両立上げ片５３，５３の各ピン挿通穴５４，５４に抜け止めピン６を差し込んで、係合ピン３３がピン受溝５２から抜け出さないようにしていおく。尚、係合ピン３３をピン受溝５２に係合させた状態では、該係合ピン３３がピン受溝５２に対して回転可能（ジブ連結台３が係合ピン３３を中心にして前後揺動可能）となっている。
【００５２】
図２のジブセット地上保管状態では、角度変更シリンダ４が全縮小しているので、該角度変更シリンダ４のロッド４２の全長がチューブ４１内に没入している。従って、該ロッ
ド４２の外面に雨水等が付着しないので、ロッド４２に錆びが発生しない。
【００５３】
図２のジブセット地上保管状態からジブセットＺをブーム先端部１０に装着させるには、ジブ連結台３の下部に置き台５を連結したままでジブセットＺをクレーン（フックＦ）で吊上げて、該ジブセットＺを図３に示すようにジブ連結台３が移動式クレーンのブーム先端部１０の直下に位置するように移動させる。そして、この時点（図３）で車両に搭載している油圧ユニットからのホースを角度変更シリンダ４に接続する。
【００５４】
次に、図３の実線図示状態のジブセットＺをブーム先端部１０に装着するための前準備として、鎖線図示するように角度変更シリンダ４′を伸長（全伸長）させてジブ２′とジブ連結台３′間の角度を大きくするが、角度変更シリンダ４′を伸長させると、置き台５が地面Ｇに接地して不動状態であるのでジブ連結台３側の係合ピン３３を中心にして該ジブ連結台３を前方に傾動させる（符号３′の状態）ような作用が働く。そして、そのときのジブ連結台前方傾動力により、ジブ２を前方に移動させる（符号２′の状態）作用が働くが、そのときジブ先端寄り下部に設けている支持材２２の転動輪２３が符号２３′で示すように地面Ｇ上を転動するので、ジブセットＺを地上に置いた状態でも角度変更シリンダ４の伸長動作によりジブ２とジブ連結台３との角度を容易に変更させ得るようになっている。そして、ジブセットを図３の鎖線図示状態（符号Ｚ′）に変更した状態で、抜け止めピン６をピン受溝５２から抜き取っておく（ピン受溝５２が上向きに開口する）。
【００５５】
その後、図３の鎖線図示状態（符号Ｚ′の状態）から、図４に示すようにジブセットＺのジブ連結台３部分を吊上げワイヤー１３で持ち上げると、置き台５側のピン受溝５２が上向きに開口しているので、該ジブ連結台３が上動することによって該ジブ連結台３側の係合ピン３３がピン受溝５２から自動的に離脱し、置き台５を地上に残した状態でジブセットが鎖線図示（符号Ｚ′）するように傾斜する。
【００５６】
そして、ジブ連結台３′側の下部連結部３１′をブーム先端部１０側の下部連結部１１に合致させて該両連結部３１′，１１をピン結合し、続いて角度変更シリンダ４′を所定長さ縮小させることでジブ連結台３′側の上部連結部３２′をブーム先端部１０側の上部連結部１２に合致させて該両連結部３２′，１２をピン接合することで、ジブセットＺのブーム先端部１０への装着作業は完了する。
【００５７】
尚、ブーム先端部１０に装着しているジブセットＺをブーム先端部１０から外して地上に保管する際には、上記のジブセット装着作業とは逆順序を行ってジブセットを図３に鎖線図示（符号Ｚ′）するように地上に降ろし（このとき角度変更シリンダ４′には油圧ホースを接続したままである）、そのジブセットＺ′の角度変更シリンダ４′を全縮小させることで、ジブセットＺを実線図示する保管姿勢に変更させることができる。
【００５８】
［図５〜図６の第２実施例］
図５〜図６に示す第２実施例の置き台５Ａは、本願請求項２に対応するものである。
【００５９】
そして、この第２実施例（図５）の置き台５Ａは、上記第１実施例（図１）の置き台５（台本体５１）の四隅にそれぞれ地面に接地して転動する転動輪５５，５５・・を取付けたものである。
【００６０】
置き台５Ａの各転動輪５５，５５・・は、台本体５１の平板部材５１ａの下面にそれぞれ左右方向に向く輪軸５５ａで支持されていて、この置き台５Ａを地上において台本体５１の長さ方向（前後方向）に移動させ得るようになっている。
【００６１】
尚、この第２実施例の置き台５Ａのその他（転動輪５５以外）の構成は、上記第１実施例（図１）の置き台５と同じであるので、該第１実施例の説明を援用する。
【００６２】
そして、この第２実施例の置き台５Ａも、図６に示すジブセット地上保管状態でジブ連結台３を載せ置くために使用されるが、図６のジブセット地上保管状態において、角度変更シリンダ４を伸縮させることで、ジブセットを実線図示状態（符号Ｚの状態）と鎖線図示状態（符号Ｚ′の状態）との間で姿勢変更させ得ることは上記第１実施例の説明と同様である。尚、この第２実施例の置き台５Ａを使用してジブセットＺを地上に保管するものであっても、該ジブセットＺをブーム先端部１０に対して脱着させる手順は、上記第１実施例の場合と同じである。
【００６３】
ところで、この第２実施例の置き台５Ａを使用してジブセットＺを地上に置いた状態では、置き台５Ａ側の転動輪５５とジブ先端寄り下部の転動輪２３のみが地面に接地しているので、ジブセットＺを地上Ｇで押し引き移動させ得るようになっている。
【００６４】
従って、この第２実施例の置き台５Ａを使用したジブセット地上設置状態では、ジブセットＺを人力で押し引き移動させることができるので、ジブセットの地上保管位置から移動式クレーンのブーム先端部に装着し得る位置まで（又はその逆方向に）移動させるのに、クレーンによる吊上げ移動作業が不要となるという効果がある。
【符号の説明】
【００６５】
１は伸縮ブーム、２はジブ、３はジブ連結台、４は角度変更シリンダ（ジブチルトシリンダ）、５，５Ａは置き台、１０はブーム先端部、２３は転動輪、３０は枢支軸、３３は係合ピン、４１はチューブ、４２はロッド、５１は台本体、５２はピン受溝、５５は転動輪、Ｚはジブセットである。
【図１】
2017043447.tif 000003
【図２】
2017043447.tif 000004
【図３】
2017043447.tif 000005
【図４】
2017043447.tif 000006
【図５】
2017043447.tif 000007
【図６】
2017043447.tif 000008
【図７】
2017043447.tif 000009